(57)【要約】【課題】手ブレによる撮影画像の良否を容易に確認できるデジタルカメラを提供する。【解決手段】デジタルスチルカメラ１は、垂直方向加速度センサ６と水平方向加速度センサ７を備え、撮影範囲の縦方向と横方向に生じたカメラブレの大きさがそれぞれ測定される。第１液晶モニタ１３と第２液晶モニタ１４には、２つの撮影画像とこれに対応するカメラブレの測定値とがそれぞれ表示される。２つの画像とカメラブレの大きさを見比べることで、カメラブレの大きい画像を撮影に失敗した画像とし、これをメモリから消去することができる。【選択図】        図３
2004242094.tif 000002
【特許請求の範囲】
【請求項１】
被写体を撮像して画像信号を出力する撮像手段と、画像信号を静止画像データとして記録する静止画像記録手段と、撮像面と平行な方向のカメラブレの大きさを測定する測定手段と、撮像時のカメラブレ測定値を記録するカメラブレ記録手段と、記録された少なくとも２つの静止画像データとこれに対応したカメラブレ測定データとを読み出して、静止画像とカメラブレ測定値をそれぞれ画像表示手段に出力する表示制御手段とを備えていることを特徴とするデジタルカメラ。
【発明の詳細な説明】
【０００１】
【発明の属する技術分野】
本発明は、画面サイズの小さい内蔵モニタでも手ブレ画像の確認が容易なデジタルカメラに関するものである。
【０００２】
【従来の技術】
被写体を撮像して得られた画像信号を静止画像データとして記録するデジタルスチルカメラが広く普及している。デジタルスチルカメラは従来のフイルムカメラと異なり、内蔵された液晶モニタを利用して撮影画像をその場で確認でき、撮影に失敗しても画像を消去して簡単に撮り直しが行える。
【０００３】
撮影画像を確認する際には、デジタルスチルカメラを再生モードにセットし、表示する画像を選択する操作を適宜行うことで、１つ１つの画像を切替えて表示させる。また、モニタ画面上に複数のインデックス画像を表示させ、表示画像を切替える面倒さをなくしたものが知られている（特許文献１参照）。
【０００４】
デジタルスチルカメラの内蔵モニタは画面サイズの小さいものが多く、その表示画素数は撮影画像の記録画素数よりも数段小さい。このため、従来では、撮影画像を再生表示しても、画像全体の大まかな調子やどのような被写体を撮影したかを確認することしかできず、表示画面の大きいパソコンモニタ等を使用しなければ、撮影画像の良否を判断することができなかった。
【０００５】
そこで、特許文献２及び特許文献３記載のデジタルカメラでは、小さなモニタ画面に撮影画像を等倍まで拡大表示して画像の実際の鮮鋭さを確認できるようにしている。
【０００６】
【特許文献１】
特開２００１−２１１４２１号公報
【特許文献２】
特開２００１−１５９７３０号公報
【特許文献３】
特開平１１−２７５４２６号公報
【０００７】
【発明が解決しようとする課題】
しかしながら、撮像素子の高画素化と記録画素数の増大化が進む近年では、撮影画像を拡大表示しても画像の一部を表示することしかできず、画像の全体を確認するには時間がかかる。このため、カメラがブレて撮影に失敗したかどうかをその場で判断することが難しいという問題がある。また、大切な場面などを念のために複数回撮影した場合には、全ての画像を保存しておかなければならず、メモリ容量をすぐに使い切ってしまう。
【０００８】
本発明は、上記問題点を考慮してなされたもので、小型の内蔵モニタでもカメラブレによる劣化画像を容易に識別でき、撮影に失敗した画像をその場で消去してメモリ容量を節約できるデジタルカメラを提供することを目的とする。
【０００９】
【課題を解決するための手段】
上記目的を達成するために、本発明のデジタルカメラは、被写体を撮像して画像信号を出力する撮像手段と、画像信号を静止画像データとして記録する静止画像記録手段と、撮像面と平行な方向のカメラブレの大きさを測定する測定手段と、撮像時のカメラブレの測定値を記録するカメラブレ記録手段と、記録された少なくとも２つの静止画像データとこれに対応したカメラブレの測定値とを読み出して、静止画像とカメラブレ測定値をそれぞれ画像表示手段に出力する表示制御手段とを備えたことを特徴とするもので、２つの画像とそのカメラブレの大きさを直ちに見比べることができるようにしたものである。
【００１０】
【発明の実施の形態】
図１において、デジタルスチルカメラ１は、撮像レンズ２、ストロボ発光部３、光学ファインダ４が設けられたカメラ本体の前面に、保護カバー５がスライド可能に設けられている。保護カバー５が閉じられた状態では、撮像レンズ２とストロボ発光部３が覆われるとともに電源がオフされる。また、保護カバー５が開いた状態では、撮像レンズ２とストロボ発光部３が露呈され、電源がオンして撮影可能となる。デジタルスチルカメラ１の内部には、垂直方向加速度センサ６と水平方向加速度センサ７が設けられており、撮影範囲の垂直方向、水平方向のブレの大きさをそれぞれ測定する。
【００１１】
図２において、デジタルスチルカメラ１の背面には、撮影モードと再生モードを切替えるスライドスイッチ１０と、デジタルズームを作動させるズームスイッチ１１と、操作キー１２が設けられている。また、被写体画像のフルカラー表示が可能な第１液晶モニタ１３と第２液晶モニタ１４とが設けられている。第１液晶モニタ１３は撮影時におけるファインダとして使用されるとともに、撮影画像の再生表示にも使用される。第２液晶モニタ１４は撮影画像の再生表示専用のモニタである。
【００１２】
画像データが記録されるメモリカード１５はカメラ本体に着脱可能であり、カメラ側面に設けられたメモリカードスロット１６に差し込まれる。メモリカード１５には、画像データの他に撮影日時やカメラブレの測定値などの撮影情報が記録される。カメラ上面に設けられた撮影ボタン１７は、半押し操作と全押し操作の２段階の押下操作が可能であり、撮影モード下では半押し操作を行うことで測光とピント合わせが行われ、そのまま全押し操作を行うと被写体画像の記録が行われる。
【００１３】
図３において、ＣＣＤ撮像素子２０は撮像レンズ２の背後に配置され、被写体の光学像を光電変換して生成された画像信号を出力する。画像信号処理回路２１は、ＣＣＤ撮像素子２０から出力された画像信号にノイズ低減処理、増幅処理、ホワイトバランス処理、ガンマ補正処理などを行う。画像信号処理回路２１から出力された画像信号はＡＤコンバータ２２においてデジタル変換され、カメラ制御部２３に送られる。
【００１４】
カメラ制御部２３は、シーケンスプログラムが記憶されたメモリと、シーケンスプログラムを実行するマイクロコンピュータを備え、各部に制御信号を出力して画像の記録処理、再生表示処理等を管理する。画像圧縮・伸張回路２４は、撮影時にＡＤコンバータ２２から出力されたデジタル画像信号にＪＰＥＧ圧縮処理を行って画像データのサイズを縮小するとともに、画像再生時にはＪＰＥＧ圧縮された画像データから撮影画像を再現する伸張処理を行う。
【００１５】
メモリカードインターフェース２５は、メモリカード１５にアクセスしてデータの書き込みと読み出しを行う。入力インターフェース２６は、スライドスイッチ１０やズームスイッチ１１等の入力操作を検知し、各操作に対応した操作信号を生成してカメラ制御部２３に出力する。カメラ制御部２３は、入力された操作信号により、モード切替え、ズーム切替え等に伴う制御を適宜行う。
【００１６】
垂直方向加速度センサ６は、デジタルスチルカメラ１の上下方向の加速度を検出する。カメラ制御部２３は、加速度の検出値からカメラブレの大きさを垂直ブレ測定値として算出する。水平方向加速度センサ７は、デジタルスチルカメラ１の左右方向の加速度を検出する。カメラ制御部２３は、水平方向のカメラブレの大きさを水平ブレ測定値として割り出す。２つの加速度センサにより撮影範囲の縦横方向の加速度が測定され、撮影時のカメラブレが割り出される。
【００１７】
描画信号出力回路２７は、画像データや文字データを第１及び第２液晶モニタ１３，１４で表示するためのアナログの描画信号に変換し、液晶ドライバ２８に出力する。液晶ドライバ２８は描画信号に基づいて第１液晶モニタ１３と第２液晶モニタ１４の駆動制御を行う。
【００１８】
次に図４及び図５を用いてデジタルスチルカメラ１の作用を説明する。保護カバー５を開放すると、デジタルスチルカメラ１の電源がオンされてカメラ制御部２３が作動し、スライドスイッチ１０の操作位置に応じて撮影モード、再生モードのいずれかが実行される。撮影モードが実行されると、ＣＣＤ撮像素子２０が駆動して撮像レンズ２を透過した被写体光が撮像され、画像信号が出力される。また、第１液晶モニタ１３が駆動して、ＣＣＤ撮像素子２０から出力された画像信号に基づいて被写体画像がライブビュー表示される。なお、このときに第２液晶モニタ１４をオンすると、前回の撮影時にメモリカード１５に記録された画像を再生表示することができる。
【００１９】
撮影ボタン１７を操作すると、入力インターフェース２６からカメラ制御部２３に撮影信号が送られる。カメラ制御部２３は、ＣＣＤ撮像素子２０から出力された１フレーム分の画像信号を取り込んで、これを画像圧縮・伸張回路２４に出力する。また、カメラ制御部２３は、垂直方向加速度センサ６と水平方向加速度センサ７を作動させる。各加速度センサにより、ＣＣＤ撮像素子２０の電荷蓄積時間内におけるデジタルスチルカメラ１のブレの大きさが測定される。各加速度センサからは、垂直方向と水平方向におけるカメラブレ測定値がそれぞれカメラ制御部２３に送られる。
【００２０】
画像圧縮・伸張回路２４は、圧縮画像信号と伸張画像信号をカメラ制御部２３に出力する。カメラ制御部２３は、圧縮画像信号を一時的に格納し、伸張画像信号とカメラブレ測定値を描画信号出力回路２７に送る。描画信号出力回路２７では、カメラブレ測定値と伸張画像信号が描画信号に変換され、液晶ドライバ２８に送られる。カメラ制御部２３は液晶ドライバ２８に指示信号を送り、撮影された画像を第１液晶モニタ１３に表示させる。
【００２１】
第１液晶モニタ１３には、撮影画像と、撮影画像に重なってカメラブレ情報が表示される。カメラブレ情報は、縦と横のブレの大きさがそれぞれ表示される。撮影者は、ブレによる撮影の失敗がないことを確認し、撮影画像を保存するための入力操作を行う。カメラ制御部２３は、格納された圧縮画像データとカメラブレ測定データをメモリカードインターフェース２５に出力し、メモリカードインターフェース２５は、メモリカード１５にデータを書き込む処理を行う。１回の撮影が終了し、第１液晶モニタ１３は被写体のライブビュー表示を再開する。
【００２２】
続けて同じ被写体を撮影すると、第１液晶モニタ１３には新たに撮影された画像がそのときのカメラブレ情報とともに表示される。ここで第２液晶モニタ１４をオンすると、直前に撮影された撮影画像がカメラブレ情報とともに表示される。撮影者は、第１液晶モニタ１３と第２液晶モニタ１４の画像及びカメラブレ情報を見比べて、２回目に撮影した画像の方がブレの値が小さい場合には画像を保存する入力操作を行い、１回目に撮影した画像のブレの値が小さい場合には、撮影画像の保存を取り消す操作を行う。
【００２３】
２回目に撮影した画像のブレが小さかった場合、１回目に撮影した画像を消去するには、スライドスイッチ１０を操作して再生モードに設定する。カメラ制御部２３は、メモリカード１５から画像データとこれに対応するカメラブレデータを読み出す。読み出された画像データは画像圧縮・伸張回路２４に送られて伸張される。第１液晶モニタ１３と第２液晶モニタ１４には再生画像とカメラブレ情報が表示される。操作キー１２を操作して各モニタに表示する画像をそれぞれ選択し、同じ被写体を撮影した画像をカメラブレ情報とともに見比べて、ブレの大きい画像を消去する。
【００２４】
このように、デジタルスチルカメラ１は、２つの液晶モニタに良否を比較する画像をカメラブレ情報とともにそれぞれ表示することで、各画像を拡大表示して細部まで確認する必要がなくなり、撮影に失敗した画像の消去を簡単に行うことができる。なお、上記実施形態では、２つの液晶モニタに撮影画像を表示させているが、これに限られず、１つのモニタ画面上に２つの撮影画像とカメラブレ情報を分割表示するようにしてもよい。
【００２５】
また、本発明は、変倍レンズによる光学ズーム機能や撮像された画像の一部を切り抜いて、拡大した画像を記録するデジタルズーム（電子ズーム）機能を有するカメラのように手ブレの影響が大きい望遠撮影の可能なデジタルカメラに好適であり、静止画の撮影が可能なデジタルビデオカメラや、携帯電話機などに内蔵された小型デジタルカメラに適用することもできる。
【００２６】
【発明の効果】
以上のように、本発明によれば、撮影画像とともにカメラブレを測定して記録し、撮影画像を表示するモニタに少なくとも２つの撮影画像とこれに対応したカメラブレ情報を表示するようにしたので、携帯時の利便性を考慮したコンパクトなデジタルカメラにおいても画面サイズの小さい内蔵モニタを用いて画像の良否が簡単に判断でき、撮影に失敗した画像をその場で消去してメモリ容量を節約することができる。
【図面の簡単な説明】
【図１】デジタルスチルカメラの前面側斜視図である。
【図２】デジタルスチルカメラの背面側斜視図である。
【図３】デジタルスチルカメラの電気的な構成を示すブロック図である。
【図４】撮影モード時の動作の流れを示すフローチャートである。
【図５】再生モード時の動作の流れを示すフローチャートである。
【符号の説明】
１  デジタルスチルカメラ
６  垂直方向加速度センサ
７  水平方向加速度センサ
１３  第１液晶モニタ
１４  第２液晶モニタ
【図１】
2004242094.tif 000003
【図２】
2004242094.tif 000004
【図３】
2004242094.tif 000005
【図４】
2004242094.tif 000006
【図５】
2004242094.tif 000007